(57)【要約】【課題】ミュート開始時に発生する雑音を低減することが可能な音声ミュート回路および音声ミュート方法を提供する。【解決手段】この音声ミュート回路では、ミュート信号発生回路１は、ミュート信号を非活性化レベルの「Ｈ」レベルから活性化レベルの「Ｌ」レベルにする際の所定期間、ミュート信号を可聴帯域（２０Ｈｚ〜２０ｋＨｚ）よりも高い所定周波数ｆｈ（たとえば４８ｋＨｚ）の連続パルス状の信号にする。このため、音声信号も可聴帯域よりも高い所定周波数ｆｈの連続パルス状の信号になり、ミュート開始時おいて人間の耳には「プチ」という雑音が聞えなくなる。【選択図】図１
2007116533.tif 000002
【特許請求の範囲】
【請求項１】
音声信号をミュートする音声ミュート回路であって、
通常時に非活性化レベルのミュート信号を出力し、ミュート時に活性化レベルのミュート信号を出力するミュート信号発生回路、
前記音声信号が伝達される音声ラインと基準電位のラインとの間に接続されたＮＰＮバイポーラトランジスタ、および
電源電位のラインと前記ＮＰＮバイポーラトランジスタの制御電極との間に接続され、前記ミュート信号が非活性化レベルのときに非導通になり、前記ミュート信号が活性化レベルのときに導通するＰＮＰバイポーラトランジスタを備え、
前記ミュート信号発生回路は、ミュート開始時に前記ミュート信号を非活性化レベルから活性化レベルにする際の所定期間、前記ミュート信号を可聴帯域よりも高い予め定められた周波数の連続パルス状の信号にすることを特徴とする、音声ミュート回路。
【請求項２】
音声信号をミュートする音声ミュート回路であって、
通常時に非活性化レベルのミュート信号を出力し、ミュート時に活性化レベルのミュート信号を出力するミュート信号発生回路、および
前記音声信号が伝達される音声ラインと基準電位のラインとの間に接続され、前記ミュート信号が非活性化レベルのときに非導通になり、前記ミュート信号が活性化レベルのときに導通する第１のトランジスタを備え、
前記ミュート信号発生回路は、ミュート開始時に前記ミュート信号を非活性化レベルから活性化レベルにする際の所定期間、前記ミュート信号を可聴帯域よりも高い予め定められた周波数の連続パルス状の信号にすることを特徴とする、音声ミュート回路。
【請求項３】
さらに、電源電位のラインと前記第１のトランジスタの制御電極との間に接続され、前記ミュート信号が非活性化レベルのときに非導通になり、前記ミュート信号が活性化レベルのときに導通する第２のトランジスタを備え、
前記第１のトランジスタは、その制御電極に前記電源電位が印加されたことに応じて導通することを特徴とする、請求項２に記載の音声ミュート回路。
【請求項４】
前記予め定められた周波数は、４８キロヘルツであることを特徴とする、請求項１から請求項３までのいずれかに記載の音声ミュート回路。
【請求項５】
音声信号をミュートする音声ミュート方法であって、
前記音声信号が伝達される音声ラインと基準電位のラインとの間に接続され、ミュート信号が非活性化レベルのときに非導通になり、前記ミュート信号が活性化レベルのときに導通するトランジスタを設け、
ミュート開始時に前記ミュート信号を非活性化レベルから活性化レベルにする際の所定期間、前記ミュート信号を可聴帯域よりも高い予め定められた周波数の連続パルス状の信号にすることを特徴とする、音声ミュート方法。
【発明の詳細な説明】
【技術分野】
【０００１】
この発明は、音声ミュート回路および音声ミュート方法に関し、特に、音声信号をミュートする音声ミュート回路および音声ミュート方法に関する。
【背景技術】
【０００２】
ＤＶＤ（デジタル・ビデオ・ディスク）プレイヤーなどオーディオ関連機器に設けられる音声ミュート回路は、音声出力を無音状態にするミュート動作を行なう。従来の音声ミュート回路では、ミュート開始時に「プチ」という雑音（ポップノイズ）が発生する。
【０００３】
図３は、従来の音声ミュート回路におけるミュート信号および音声信号の波形を示すタイムチャートである。図３を参照して、無音状態のときの音声信号の電位は０Ｖである。時刻ｔ１１に、ミュート信号が非活性化レベルの「Ｈ」レベルから活性化レベルの「Ｌ」レベルにされたことに応じて、音声信号の電位が０Ｖよりも僅かに高くなる。このため、ミュート開始時に「プチ」という雑音が発生する。
【０００４】
たとえば、下記の特許文献１には、オーディオ用アンプの電源投入時や電源遮断時に生じるポップノイズを低減させる構成が開示されている。これによると、電源投入時または電源遮断時に、アンプの出力信号がその再生時に再生用スピーカで再生できない可聴帯域以下の周波数の信号となるようにするバイアス電圧をアンプに与える。
【０００５】
また、下記の特許文献２には、トーン回路およびトーン検出回路を必要とすることなく、送信機側の電源オフ時における受信機側での雑音発生を防止する方法が開示されている。これによると、送信機の電源スイッチがオフにされた際、送信機側の制御手段より可聴周波数帯域外のミュート制御パルス信号を送信手段に与えて、そのミュート制御パルス信号を電波として送信するとともに、受信機側の制御手段にてそのミュート制御パルス信号を検出してミュート回路を動作させる。
【０００６】
また、下記の特許文献３には、プリドライバの差動トランジスタに並列に、電気的定数が同一であって信号が入力されないダミーのプリドライバを接続し、スタンバイあるいはミュート時にこのダミーのトランジスタにより閉ループを形成して、プリドライバの作動トランジスタの入力条件をバランスさせる構成が開示されている。この場合、電源投入時およびミュートオン・オフ時にポップノイズが発生しない。
【０００７】
また、下記の特許文献４には、ミューティング作動中は音響伝送系に可聴周波数帯域のフィルタを挿入して、再生聴感上でのミューティング動作の認識を可能にしたミューティング回路が開示されている。
【特許文献１】特開２００５−１５９８７１号公報
【特許文献２】特開２００２−１３５１５５号公報
【特許文献３】特開平５−０１４０６０号公報
【特許文献４】実開昭６１−０２９５２２号公報
【発明の開示】
【発明が解決しようとする課題】
【０００８】
上述のように、従来の音声ミュート回路では、ミュート開始時に「プチ」という雑音が発生するという問題があった。
【０００９】
それゆえに、この発明の主たる目的は、ミュート開始時に発生する雑音を低減することが可能な音声ミュート回路および音声ミュート方法を提供することである。
【課題を解決するための手段】
【００１０】
この発明に係わる音声ミュート回路は、音声信号をミュートする音声ミュート回路であって、通常時に非活性化レベルのミュート信号を出力し、ミュート時に活性化レベルのミュート信号を出力するミュート信号発生回路と、音声信号が伝達される音声ラインと基準電位のラインとの間に接続されたＮＰＮバイポーラトランジスタと、電源電位のラインとＮＰＮバイポーラトランジスタの制御電極との間に接続され、ミュート信号が非活性化レベルのときに非導通になり、ミュート信号が活性化レベルのときに導通するＰＮＰバイポーラトランジスタとを備え、ミュート信号発生回路は、ミュート開始時にミュート信号を非活性化レベルから活性化レベルにする際の所定期間、ミュート信号を可聴帯域よりも高い予め定められた周波数の連続パルス状の信号にすることを特徴とする。
【００１１】
この発明に係わる他の音声ミュート回路は、音声信号をミュートする音声ミュート回路であって、通常時に非活性化レベルのミュート信号を出力し、ミュート時に活性化レベルのミュート信号を出力するミュート信号発生回路と、音声信号が伝達される音声ラインと基準電位のラインとの間に接続され、ミュート信号が非活性化レベルのときに非導通になり、ミュート信号が活性化レベルのときに導通する第１のトランジスタとを備え、ミュート信号発生回路は、ミュート開始時にミュート信号を非活性化レベルから活性化レベルにする際の所定期間、ミュート信号を可聴帯域よりも高い予め定められた周波数の連続パルス状の信号にすることを特徴とする。
【００１２】
好ましくは、さらに、電源電位のラインと第１のトランジスタの制御電極との間に接続され、ミュート信号が非活性化レベルのときに非導通になり、ミュート信号が活性化レベルのときに導通する第２のトランジスタを備え、第１のトランジスタは、その制御電極に電源電位が印加されたことに応じて導通することを特徴とする。
【００１３】
また好ましくは、予め定められた周波数は、４８キロヘルツであることを特徴とする。
この発明に係わる音声ミュート方法は、音声信号をミュートする音声ミュート方法であって、音声信号が伝達される音声ラインと基準電位のラインとの間に接続され、ミュート信号が非活性化レベルのときに非導通になり、ミュート信号が活性化レベルのときに導通するトランジスタを設け、ミュート開始時にミュート信号を非活性化レベルから活性化レベルにする際の所定期間、ミュート信号を可聴帯域よりも高い予め定められた周波数の連続パルス状の信号にすることを特徴とする。
【発明の効果】
【００１４】
この発明によれば、ミュート信号を非活性化レベルから活性化レベルにする際の所定期間、ミュート信号を可聴帯域よりも高い所定周波数の連続パルス状の信号にするので、音声信号も可聴帯域よりも高い所定周波数の連続パルス状の信号になる。したがって、ミュート開始時に発生する雑音を低減することが可能になる。
【発明を実施するための最良の形態】
【００１５】
図１は、この発明の一実施の形態による音声ミュート回路の概略構成を示す回路ブロック図である。図１において、この音声ミュート回路は、ミュート信号発生回路１と、ミュート端子２と、入力端子３と、出力端子４と、ＰＮＰバイポーラトランジスタ５と、ＮＰＮバイポーラトランジスタ６と、抵抗素子７〜１０と、スピーカ１１とを備える。
【００１６】
音声信号は入力端子３に入力され、音声ラインを伝達して出力端子４からスピーカ１１に与えられる。スピーカ１１は、出力端子４から与えられた音声信号を再生する。抵抗素子８および抵抗素子１０は、入力端子３と出力端子４との間に直列接続される。ＮＰＮバイポーラトランジスタ６は、抵抗素子８と抵抗素子１０の間のノートＮ２と、接地電位ＧＮＤのラインとの間に接続される。
【００１７】
ＰＮＰバイポーラトランジスタ５および抵抗素子９は、電源電位ＶＣＣ（たとえば３．３Ｖ）のラインとＮＰＮバイポーラトランジスタ６のベースＢとの間に直列接続される。ミュート信号発生回路１は、非活性化レベルの「Ｈ」レベルまたは活性化レベルの「Ｌ」レベルのミュート信号をミュート端子２に与える。このミュート信号発生回路１は、たとえばマイコンに内蔵される。ミュート端子２に与えられたミュート信号は、ＰＮＰバイポーラトランジスタ５のベースＢに入力される。抵抗素子７は、ミュート端子２とＮＰＮバイポーラトランジスタ５のベースＢとの間のノードＮ１と、接地電位ＧＮＤのラインとの間に接続される。
【００１８】
通常時は、ミュート信号発生回路１からミュート端子２に非活性化レベルの「Ｈ」レベルのミュート信号が与えられる。このとき、ＰＮＰバイポーラトランジスタ５およびＮＰＮバイポーラトランジスタ６は非導通になるため、入力端子３に入力された音声信号は音声ラインを伝達して出力端子４から出力される。
【００１９】
ミュート時は、ミュート信号発生回路１からミュート端子２に活性化レベルの「Ｌ」レベルのミュート信号が与えられる。このとき、ＰＮＰバイポーラトランジスタ５が導通して、電源電位ＶＣＣのラインからＰＮＰバイポーラトランジスタ５および抵抗素子９を介して、ＮＰＮバイポーラトランジスタ６のベースＢに電流が流れる。これに応じて、ＮＰＮバイポーラトランジスタ６が導通し、音声ラインが接地電位ＧＮＤに固定される。
【００２０】
ただし、このとき電源電位ＶＣＣがＰＮＰバイポーラトランジスタ５および抵抗素子９を介してＮＰＮバイポーラトランジスタ６のベースＢに印加されるため、音声ラインが接地電位ＧＮＤよりも僅かに高い電位に持ち上げられる。このため、図３に示したように、音声信号のレベルが０Ｖよりも僅かに高くなり、ミュート開始時に「プチ」という雑音が発生するという問題があった。そこで、この一実施の形態では、このような問題の解決が図られている。
【００２１】
図２は、図１に示した音声ミュート回路におけるミュート信号および音声信号の波形を示すタイムチャートである。図２を参照して、ミュート信号発生回路１は、ミュート信号を非活性化レベルの「Ｈ」レベルから活性化レベルの「Ｌ」レベルにする際の所定期間、すなわち時刻ｔ１から時刻ｔ２までの期間、ミュート信号を可聴帯域（２０Ｈｚ〜２０ｋＨｚ）よりも高い所定周波数ｆｈ（たとえば４８ｋＨｚ）の連続パルス状の信号にする。このため、時刻ｔ１から時刻ｔ２までの期間、音声信号も可聴帯域よりも高い所定周波数ｆｈの連続パルス状の信号になる。したがって、ミュート開始時おいて人間の耳には「プチ」という雑音が聞えなくなる。
【００２２】
以上のように、この一実施の形態では、ミュート開始時に発生する雑音を低減することが可能となる。なお、この音声ミュート回路は、ＤＶＤプレイヤーに限らずＤＶＤレコーダーやＣＤプレイヤーなどの各種オーディオ関連機器に適用可能である。
【００２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２４】
【図１】この発明の一実施の形態による音声ミュート回路の概略構成を示す回路ブロック図である。
【図２】図１に示した音声ミュート回路におけるミュート信号および音声信号の波形を示すタイムチャートである。
【図３】従来の音声ミュート回路におけるミュート信号および音声信号の波形を示すタイムチャートである。
【符号の説明】
【００２５】
１  ミュート信号発生回路、２  ミュート端子、３  入力端子、４  出力端子、５  ＰＮＰバイポーラトランジスタ、６  ＮＰＮバイポーラトランジスタ、７〜１０  抵抗素子、１１  スピーカ。
【図１】
2007116533.tif 000003
【図２】
2007116533.tif 000004
【図３】
2007116533.tif 000005